(57)【特許請求の範囲】
【請求項１】
周端に前面側に向かって鍔部が立設されてなる器具本体と、該器具本体の前面側に取り付けられる反射板と、一方に開口部を有し該開口周端部近傍を前記器具本体の鍔部に略当接させて装着される透光性のグローブとを備えてなり、前記器具本体の一端を上側に向けて横向き取付けされる照明器具において、前記反射板の一端側の端部を、前記器具本体の他端側の鍔部先端との間の距離が、器具本体の他端側の鍔部先端と前記グローブの一端側の開口周端部との間の距離よりも長くなるように前記グローブの内部に突出させ、前記反射板の一端側に該反射板の一端側の端部から前記器具本体側であって他端側に向かって傾斜するテーパー部を形成し、該テーパー部に連接してさらに第２のテーパー部を形成し、反射板の一端側の端部よりも器具本体側に電気部品を収納し、
前記テーパー部側又は前記第２のテーパー部側のいずれを上として取り付けても、器具本体の内部で結露した水滴が反射板の前記テーパー部又は第２のテーパー部に沿って流れ落ちて電気部品に流れ落ちることがなくなるものとしたことを特徴とする照明器具。
【発明の詳細な説明】
【０００１】
【産業上の利用分野】
本発明は、照明器具に関するものである。
【０００２】
【従来の技術】
図３は、従来の照明器具を示すもので、この照明器具は、壁面等に横向きに取り付けられて使用されるもので、主に器具本体１と、電気部品２、及びグローブ３とを有して構成されている。
【０００３】
器具本体１は、略平板状の取付面部１ａの周端に、一面側である前面側に向かって鍔部１ｂが立設されてなり、その取付面部１ａが壁面４に略当接するように取り付けられると共に、取付面部１ａの前面側には端子台２ａや安定器２ｂ及びソケット２ｃをはじめとした電気部品２が取りつけられている。
【０００４】
また、器具本体１の前面側には、一方に開口したグローブ３が、その開口周端近傍が器具本体１の鍔部１ｂにパッキン５を介して略当接するようにセットビス６により取り付けられて、電気部品２を器具本体１とグローブ３で形成する空間内に収納するように構成されている。
【０００５】
つまり、セットビス６は、器具本体１の鍔部１ｂの上下（、または左右）に対をなして設けられ、セットビス６の先端が、グローブ３に設けられたテーパー状の部分に当接することによりグローブ３がパッキン５に押しつけられるようにされているのである。
【０００６】
【発明が解決しようとする課題】
しかしながら、上述のように構成された従来の照明器具においては、グローブ３が一対のセットビス６により器具本体１に取り付けられているため、セットビス６が同時に緩められるとグローブ３が落下してしまう恐れがあり、また、セットビス６の締め付け方向とグローブ３の締め付け方向が異なるために、グローブ３のパッキン５への密着度が低く内部に水が侵入し易く、侵入した水や結露した水滴が、電気部品２やソケット２ｃに装着されたランプ７に滴下し絶縁低下やランプ割れ等の原因となるという問題点があった。
【０００７】
本発明は、上記問題点に鑑みてなされもので、その目的とするところは、グローブの着脱時のグローブの不用意な落下を防止した照明器具を提供することにある。
【０００８】
【課題を解決するための手段】
本発明は上記の問題点を解決するため、請求項１記載の発明にあっては、周端に前面側に向かって鍔部１ｂが立設されてなる器具本体１と、該器具本体１の前面側に取り付けられる反射板８と、一方に開口部３ａを有し該開口周端部３ｂ近傍を前記器具本体１の鍔部１ｂに略当接させて装着される透光性のグローブ３とを備えてなり、前記器具本体１の一端１ｃを上側に向けて横向き取付けされる照明器具において、前記反射板８の一端側の端部８ａを、前記器具本体１の他端側の鍔部先端１ｄとの間の距離が、器具本体１の他端側の鍔部先端１ｄと前記グローブ３の一端側の開口周端部３ｂとの間の距離よりも長くなるように前記グローブ３の内部に突出させ、前記反射板８の一端側に該反射板８の一端側の端部８ａから前記器具本体１側であって他端側に向かって傾斜するテーパー部８ｂを形成し、該テーパー部８ｂに連接してさらに第２のテーパー部８ｄを形成し、前記反射板８の一端側の端部８ａよりも器具本体１側に電気部品２を収納し、前記テーパー部８ｂ側又は前記第２のテーパー部８ｄ側のいずれを上として取り付けても、器具本体１の内部で結露した水滴が反射板８の前記テーパー８ｂ部又は第２のテーパー部８ｄに沿って流れ落ちて電気部品２に流れ落ちることがなくなるものとしたことを特徴とするものである。
【００１１】
【作用】
上述のように構成したため本発明は、請求項１記載の発明にあっては、グローブ３の着脱時であって、グローブ３が器具本体１の他端側の鍔部１ｄの先端を中心として回動して外れようとしても、グローブ３の一端側の開口周端部３ｂが描く軌跡よりも外側に反射板８の一端側の端部８ａが存在しているため、グローブ３の開口周端部３ｂ近傍の内壁が反射板８の一端側の端部８ａに当たって、グローブ３がそれ以上回動しなくなる。また、前記反射板８のテーパー部８ｂが光を器具本体１の前方であって下方側に反射させて、照明器具の下方での照度が確保される。さらに、器具本体１の一端側から侵入した水や、器具本体１の内部で結露した水滴が反射板８のテーパー部８ｂに沿って流れ落ちて電気部品２に流れ落ちることがなくなり、電気部品２の絶縁低下が防がれる。
【００１４】
【実施例】
図１は、本発明の照明器具の第１の実施例を示すものであり、この照明器具はは、室内外の壁面等に横向きに取り付けられて使用されるもので、主に器具本体１と、電気部品２、グローブ３、及び反射板８とを有して構成されている。
【００１５】
器具本体１は、例えばアルミ板等の金属製であって、矩形で略平板状に形成された取付面部１ａの周端に、その一面側である前面側に向かって鍔部１ｂが立設されて前面側に開口した略箱状に形成されてなり、その取付面部１ａが、器具本体１の一端１ｃ側を上側にして壁面４に略当接するように取り付けられている。また、鍔部１ｂの先端にはゴム製のパッキン５が装着されており、器具本体１の他端側には水抜き孔１ｅが設けられている。
【００１６】
グローブ３は、ガラスやアクリル樹脂等の透光性部材により形成され、一方に開口部３ａを有してなり、開口部３ａ近傍が底部３ｃよりも狭くされて肩部３ｄが形成されており、その開口周端部が器具本体１の鍔部１ｂの内側に納められて鍔部１ｂに装着されたパッキン５が肩部３ｄに当接するようにセットビス（図示せず）により器具本体１に装着される。
【００１７】
反射板８は、器具本体１の取付面部１ａに略平行に配設される基部８ｃの一端側が前面側であって上方に向かって鈍角に折り曲げられてテーパー部８ｂが形成されてなり、一端側の端部８ａがグローブ３の開口部３ａよりもグローブ３の内側であって、反射板８の一端側の端部８ａと器具本体１の他端側の鍔部先端１ｄとの間の距離が、器具本体１の他端側の鍔部先端１ｄとグローブ３の一端側の開口周端部３ｂとの間の距離よりも長くなるようにグローブ３の内部に突出するようにされている。つまり、反射板８は、グローブ３が、器具本体１の他端側の鍔部１ｄの先端を中心として回動するとき、グローブ３の一端側の開口周端部３ｂの描く軌跡よりも反射板８の一端側の端部８ａが外側に突出するように構成されているのである。
【００１８】
また、端子台２ａや安定器２ｂ及びソケットをはじめとした電気部品２は、反射板８の前面側であって、一端側の端部８ａよりも器具本体１側に取り付けられており、電気部品２の上側でテーパー部８ｂが屋根のような役割を果たすようにされている。
【００１９】
このように構成されているため、本実施例における照明器具においては、グローブ３が器具本体１の他端側の鍔部１ｄの先端を中心として回動して外れようとしても、グローブ３の一端側の開口周端部３ｂが描く軌跡よりも外側に反射板８の一端側の端部８ａが存在して、その反射板８の一端側の端部８ａがグローブ３の一端側の開口周端部３ｂ近傍の内壁に当り、グローブ３の回動を防いでグローブ３の不用意な脱落を防止させることができる。また、反射板８のテーパー部８ｂが光を器具本体１の前方であって下方に反射させて、照明器具の下方での照度が確保でき、さらには、器具本体１の一端側から侵入した水や、器具本体１の内部で結露した水滴が反射板８のテーパー部８ｂに沿って流れ落ち、電気部品２に流れ落ちることがなく、水抜き孔１ｅから外部に流れ落ちて電気部品２の絶縁低下やランプ割れ等が防止できる。特に、器具本体１が金属製であり、その一端１ｃ側はランプ７からの直射光を受けず結露が生じ易いが、この部分で結露により生じた水滴も、電気部品２にかかることはない。
【００２０】
図２は、本発明の照明器具の第２の実施例を示すものであり、前記第１の実施例と異なる点は、反射板８であり、他は前記第１の実施例と同様に構成されている。
【００２１】
反射板８は、第１の実施例における反射板８の端部にテーパー部８ｂ、または基部８ｃに連接して、器具本体１の前面側から取付面部１ａ側に傾斜する第２のテーパー部８ｄを設けて形成したものである。
【００２２】
このように構成しても前記第１の実施例と同様の効果を奏すると共に、照明器具を、第２のテーパー部８ｄ側を上側として取り付けても、第１の実施例と同様の効果を奏し、取付方向の自由度が増す。
【００２３】
【発明の効果】
このように構成されているため本発明は、請求項１記載の発明にあっては、グローブの着脱時であって、グローブが器具本体の他端側の鍔部の先端を中心として回動して外れようとしても、グローブの一端側の開口周端部が描く軌跡よりも外側に反射板の一端側の端部が存在するため、グローブの一端側の開口周端部近傍の内壁が、反射板の一端側の端部に当たって、それ以上のグローブの回動を防いでグローブの不用意な脱落を防止することができる。また、反射板のテーパー部が光を照明器具の前方であって下方側に反射させて、照明器具の下方での照度が確保できる。さらに、器具本体の一端側から侵入した水や、器具本体の内部で結露した水滴が反射板のテーパー部に沿って流れ落ちて電気部品に流れ落ちることがなくなり、水抜き孔から外部に流れ落ちて電気部品の絶縁低下やランプ割れ等を防止することができる。
【図面の簡単な説明】
【図１】本発明の照明器具の第１の実施例を示す一部断面側面図である。
【図２】本発明の照明器具の第２の実施例を示す要部斜視図である。
【図３】従来の照明器具を示す一部断面側面図である。
【符号の説明】
１      器具本体
１ｂ    鍔部
１ｃ    一端
１ｄ    鍔部先端
２      電気部品
３      グローブ
３ａ    開口部
３ｂ    開口周端部
８      反射板
８ａ    一端側の端部
８ｂ    テーパー部
【図１】
0003823332.tif 000002
【図２】
0003823332.tif 000003
【図３】
0003823332.tif 000004